(57)【要約】【課題】  光模様に加えて立体的な部材が移動する状態も見ることができる興趣に富んだ遊技機の表示装置を提供すること。【解決手段】  パチンコ機１０の遊技面１１に取り付けられる表示装置２０に、表示面を前方に向けて回転板２４を回転可能に取り付けて、この回転板２４を回転板駆動装置３１で回転するようにした。また、回転板２４の表示面に複数の可動片２５を移動可能に取り付けた。そして、反射面を内側に向けた状態で複数の反射板を筒状に組み付けて構成された反射筒２６を回転板２４の表示面側に配置して、反射筒２６に回転板２４と複数の可動片２５に向けて発光する発光部２８を設けた。【選択図】  図５
2015131005.tif 000002
【特許請求の範囲】
【請求項１】
遊技機の遊技面に取り付けられる表示装置であって、
表示面を前方に向けて回転可能に取り付けられる回転板と、
前記回転板を回転させる回転板駆動装置と、
表示面を前方に向けて前記回転板の表示面に移動可能に取り付けられる複数の可動片と、
反射面を内側に向けた状態で複数の反射板を組み付けて筒状に形成され、後部開口が前記回転板の表示面側に位置し、前部開口が前方に向かうように配置される反射筒と、
を備えたことを特徴とする遊技機の表示装置。
【請求項２】
前記回転板の表示面および前記複数の可動片の表示面を反射面で構成し、前記反射筒に、前記回転板および前記複数の可動片に向けて発光する発光部を設けた請求項１に記載の遊技機の表示装置。
【請求項３】
前記反射筒を構成する複数の反射板に前記発光部が設けられた反射板と前記発光部が設けられていない反射板があり、前記発光部が設けられた反射板は前記回転板の表示面に対して略直交するように配置され、前記発光部が設けられていない反射板は後方から前方に行くほど外部側に広がるように傾斜して前方から反射面が見えるように配置された請求項２に記載の遊技機の表示装置。
【請求項４】
前記複数の可動片を回転させる可動片駆動装置が備わった請求項１ないし３のうちのいずれか一つに記載の遊技機の表示装置。
【請求項５】
前記反射筒の後部の所定部分と前記回転板の側方の所定部分との間に回転機構を設けて、前記反射筒を回転可能にした請求項１ないし４のうちのいずれか一つに記載の遊技機の表示装置。
【発明の詳細な説明】
【技術分野】
【０００１】
本発明は、遊技機の遊技面に取り付けられる表示装置に関する。
【背景技術】
【０００２】
従来から、パチンコ機やスロットマシン等の遊技機においては、遊技の面白さを増すためや、リーチのような遊技状態を表すために、表示装置が設けられており、このような表示装置の中に、光模様の万華鏡像を表示できるものがある（例えば、特許文献１参照）。この表示装置（遊技部品）は、万華鏡箱、遮光板、外箱、保持構成体、光ファイバー、ＬＥＤを組み合わせて形成されており、ＬＥＤは演出制御装置の制御により点滅する。万華鏡箱は三角形の反射板の反射面を内側に向き合わせて三角錐形に形成されている。遮光板は万華鏡箱の開口部を塞ぐ三角形に形成され中央に円形の覗き孔が形成されている。
【０００３】
外箱は万華鏡箱を収容する六角筒と六角筒の後端に取り付けられた裏板で構成され、裏板の中央には万華鏡箱の後端部を支持する保持部が設けられている。また、万華鏡箱に取付孔が形成され、外箱に通孔が形成されており、光ファイバーが、外箱の外部から通孔を通って取付孔まで延びている。そして、保持構成体は、取付孔と、通孔と、外箱の外面における通孔の部分に設けられて光ファイバーを固定する光ファイバー固定部とで構成されており、光ファイバー固定部にＬＥＤが取り付けられている。このため、演出制御装置の制御によりＬＥＤが点滅することで、遊技者は、様々な光模様の万華鏡像を覗き孔を通して前側から見ることができる。
【先行技術文献】
【特許文献】
【０００４】
【特許文献１】特開２００６−１３６３７７号公報
【発明の概要】
【０００５】
しかしながら、前述した従来の表示装置では、遊技者に見えるものが光模様だけで、役物などの部材が移動する状態を見ることができないため、面白みに欠けるという問題がある。
【０００６】
本発明は、前述した問題に対処するためになされたもので、その目的は、万華鏡像を表示できる表示装置に移動する部材を設けることで、光模様に加えて立体的な部材が移動する状態も見ることができる興趣に富んだ遊技機の表示装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の表示装置の構成上の特徴は、遊技機（１０）の遊技面（１１）に取り付けられる表示装置（２０）であって、表示面（２４ａ）を前方に向けて回転可能に取り付けられる回転板（２４）と、回転板を回転させる回転板駆動装置（３１）と、表示面（２５ａ）を前方に向けて回転板の表示面に移動可能に取り付けられる複数の可動片（２５）と、反射面を内側に向けた状態で複数の反射板（２６ａ，２６ｂ，２６ｃ，２６ｄ，２６ｅ，２６ｆ）を組み付けて筒状に形成され、後部開口が回転板の表示面側に位置し、前部開口が前方に向かうように配置される反射筒（２６）とを備えたことにある。
【０００８】
本発明に係る遊技機の表示装置では、表示面を前方に向けて回転板を取り付けるとともに、複数の可動片を表示面を前方に向けて回転板の表示面に移動可能に取り付けている。そして、回転板駆動装置の作動により回転板が回転するようにしている。また、複数の反射板を組み付けて筒状に形成された反射筒を回転板の表示面側に配置している。このため、回転板と複数の可動片とは異なる状態で移動するようになり、これによって、表示装置に表示される模様が興趣に富んだものになる。
【０００９】
すなわち、本発明に係る遊技機の表示装置によれば、大きな回転板の表示面で、小さな複数の可動片が移動することで、面白みが発生し、さらに、その移動する回転板と複数の可動片が反射筒の複数の反射板に反射されることによって実像と虚像からなる複数の像が発生するようになるため面白みがさらに増す。また、本発明に係る複数の可動片は、駆動手段を用いて独自に移動できるものであってもよいし、回転板の回転に追従して移動できるものであってもよい。さらに、反射筒を構成する反射板としては、鏡または鏡面（反射面）を備えた板部材などを用いることができる。
【００１０】
本発明に係る遊技機の表示装置の他の構成上の特徴は、回転板の表示面および複数の可動片の表示面を反射面（２４ａ，２５ａ）で構成し、反射筒に、回転板および複数の可動片に向けて発光する発光部（２８）を設けたことにある。
【００１１】
本発明に係る反射面は、プリズムシート、拡散シート、フォトグラムシートおよび反射シートなどを用いて形成することができる。例えば、プリズムシートの表面は、複数の小さな反射面を組み合わせて構成されており、照射された光を拡散したり集光したりして反射する。このため、発光部が発生する光が回転板および複数の可動片の表示面に照射されると、光は同一面から単純に反射されるのではなく、小さな反射面からそれぞれ異なる方向にそれぞれ反射される。このため、変化に富んだ光模様を発生することができる。
【００１２】
本発明によると回転板駆動装置の作動により、異なる状態で移動する回転板と複数の可動片を発光部の発光で照射することができるため、表示装置に表示される模様が興趣に富んだものになる。また、本発明に係る発光部としては、種々の色の光を発生できる多色ＬＥＤを用いることが好ましく、これによると、光の色も変化させることができるため、面白みがさらに増すようになる。
【００１３】
本発明に係る遊技機の表示装置のさらに他の構成上の特徴は、反射筒を構成する複数の反射板に発光部が設けられた反射板（２６ａ，２６ｂ，２６ｆ）と発光部が設けられていない反射板（２６ｃ，２６ｄ，２６ｅ）があり、発光部が設けられた反射板は回転板の表示面に対して略直交するように配置され、発光部が設けられていない反射板は後方から前方に行くほど外部側に広がるように傾斜して前方から反射面が見えるように配置されたことにある。
【００１４】
反射筒は、後部開口よりも前部開口を広くすることにより反射板の反射面に表示される模様がより広がって綺麗に見えるため、各反射板を後方から前方に行くほど外部側に広がるように傾斜させることが好ましい。しかしながら、反射板の傾斜が大きすぎて前方から発光部が見えると、美観を損なう虞が生じる。このため、本発明では、発光部が設けられた反射板は回転板の表示面に対して略直交するように配置して発光部が見え難くなるようにし、発光部が設けられていない反射板は後方から前方に行くほど外部側に広がるように傾斜させて模様が表示される部分が広がるようにしている。
【００１５】
本発明に係る遊技機の表示装置の他の構成上の特徴は、複数の可動片を回転させる可動片駆動装置（３６）が備わったことにある。本発明によると、可動片駆動装置の作動により複数の可動片を回転板の回転と関係なく回転させることができるため、意表をついた模様を表示することができる。
【００１６】
本発明に係る遊技機の表示装置のさらに他の構成上の特徴は、反射筒の後部の所定部分（２６ｇ）と回転板の側方の所定部分（２３ｄ）との間に回転機構（２３ｅ）を設けて、反射筒を回転可能にしたことにある。本発明によると、回転板に対して反射筒を回転できるため、反射筒を介して覗ける回転板および複数の可動片の範囲を変化させることができる。これによって、さらに、表示される模様に変化を持たせることができる。なお、回転板の側方の所定部分は、表示装置に備わった部材を支持する部分や遊技機の遊技面で構成することができる。
【図面の簡単な説明】
【００１７】
【図１】本発明の一実施形態に係る表示装置をパチンコ機に取り付けた状態を示した正面図である。
【図２】表示装置を示した斜視図である。
【図３】表示装置を示した正面図である。
【図４】表示装置を示した背面図である。
【図５】表示装置を示した断面図である。
【図６】回転板と可動片と駆動装置を示した斜視図である。
【図７】図６を斜め後方から見た状態を示した斜視図である。
【図８】回転板と回転板駆動装置を示した斜視図である。
【図９】図８を斜め後方から見た状態を示した斜視図である。
【図１０】回転板と可動片と可動片駆動装置を示した斜視図である。
【図１１】図１０を斜め後方から見た状態を示した斜視図である。
【図１２】反射筒を示した断面図である。
【図１３】反射板に発光部を取り付けた状態を示した一部切欠き斜視図である。
【発明を実施するための形態】
【００１８】
以下、本発明の一実施形態を図面を用いて説明する。図１は、同実施形態に係る表示装置２０を備えた本発明に係る遊技機としてのパチンコ機１０を示している。パチンコ機１０の表面における上部には遊技面１１が設けられており、その下方には、遊技球（図示せず）を一旦溜めて順次発射位置に供給する上皿１２と、上皿１２から供給される遊技球を遊技面１１内に向けて発射するハンドル１３が設けられている。上皿１２の下方には、遊技球を溜めるための下皿１４が設けられている。また、遊技面１１の略中央には、窓部１５が設けられ、窓部１５の奥に液晶画面１６が設けられている。
【００１９】
さらに、遊技面１１における窓部１５の下方に２つの入賞装置１７ａ，１７ｂとアウト口１８とが、前述した順に、上方から下方に間隔をおいて設けられている。入賞装置１７ａ，１７ｂ内に遊技球が入ると、所定数の遊技球が賞球として、パチンコ機１０の裏面上部に設置された球タンクから球払出装置（図示せず）を介して上皿１２に送られる。アウト口１８は、入賞装置１７ａ，１７ｂに入らなかった遊技球を通過させてパチンコ機１０の下方に設置された回収タンク（図示せず）に送るためのゲート穴である。
【００２０】
表示装置２０は、図２ないし図５に示したように、収容支持部２１と、回転板２４と、６個の可動片２５と、反射筒２６と、３個の発光部２８を備えている。収容支持部２１の内部には、回転板２４と可動片２５が配置されており、その他、駆動装置３０も収容されている。この表示装置２０は、収容支持部２１を介して遊技面１１における液晶画面１６の上方に設置されており、所定のタイミングで、回転板２４と可動片２５を回転させるとともに、発光部２８を発光させて回転板２４と可動片２５を照射するものである。また、表示装置２０は、図１に示したように、回転板２４と可動片２５を正面に向けて設置されている。
【００２１】
収容支持部２１は、後方に位置する支持部２２と、前部に位置する収容部２３とで構成されている。支持部２２は、駆動装置３０を支持するとともに、駆動装置３０の後部側部分を収容し、収容部２３は駆動装置３０の前部側部分および駆動装置３０に連結された回転板２４と複数の可動片２５を収容する。支持部２２は、前部よりも後部が大径になり後部が開口した段違いの円形箱状に形成されており、前面部２２ａの中央には、後述する連結軸３４ａを通すための挿通穴部２２ｂが設けられ、前面部２２ａの外周部と挿通穴部２２ｂの間の所定部分には、後述する回転軸３７ｂを通すための挿通穴２２ｃが設けられている。
【００２２】
挿通穴部２２ｂは、前面部２２ａを貫通して前後に延びる筒状に形成されており、挿通穴２２ｃは、前面部２２ａを貫通する穴で構成されている。また、前面部２２ａには、配線を通すための線通穴２２ｆおよび前面部２２ａの後面から後方に延びる一対の円筒状のネジ螺合部２２ｄも形成されている。そして、支持部２２の前部小径部分の外周面には、前後に延び内周面に雌ネジが形成された一対の筒状ネジ部２２ｅが互いの位置が周方向の反対側になるように間隔をおいて設けられている。
【００２３】
収容部２３は、支持部２２の前部小径部分と同じ直径で軸方向が短い筒状に形成されており、内周面における前後方向の中央よりも少し前部側に、中央に円形の窓部２３ａが形成された遮蔽板２３ｂが設けられている。この遮蔽板２３ｂの前面は光を反射できる面で構成されており、前方から光が照射されたときにその光が収容支持部２１の内部に入ることを防止する。また、収容部２３の外周面の後端部には、挿通穴を備えた一対のネジ挿通部２３ｃが一対の筒状ネジ部２２ｅに対向して形成され、収容部２３の外周面の前部には、前後に延びる円筒状の軸固定部２３ｄが形成されている。この軸固定部２３ｄには前方に延びる軸棒２３ｅが固定されている。このように構成された収容部２３は、一対のネジ挿通部２３ｃの挿通穴に前方からネジ２３ｆをそれぞれ通し、そのネジ２３ｆを一対の筒状ネジ部２２ｅに螺合させることにより、支持部２２に組み付けられている。
【００２４】
回転板２４は、遮蔽板２３ｂの窓部２３ａ内に回転可能な状態で設置できる大きさの円板で構成されており、前面にプリズムシート２４ａが貼り付けられている。回転板２４のプリズムシート２４ａに光が照射されると、その光は、プリズムシート２４ａによって種々の方向に反射される。また、回転板２４の中心部と外周部との間には、後述する回転軸３７ｂを通すための６つの挿通穴部２４ｂが円周方向に一定間隔で形成されている。挿通穴部２４ｂは、回転板２４を前後に貫通する穴と、その穴の周縁部から後方に延びる筒状部分からなっている。そして、回転板２４の後面の中心には、後方に延びる円筒状の軸固定部２４ｃが形成されている。
【００２５】
６個の可動片２５は、それぞれが正三角形に近い扇状の同形の板で構成されている。各可動片２５の前面には、それぞれ異なる色で異なる模様が施されたプリズムシート２５ａが貼り付けられている。各可動片２５のプリズムシート２５ａにそれぞれ光が照射されると、その光は、プリズムシート２５ａによって種々の方向に反射される。この際、各可動片２５から反射される光はそれぞれ異なる色になる。また、各可動片２５の後面中央から後方に向かって、円筒状の支軸２５ｂが延びている。
【００２６】
駆動装置３０は、図６および図７に示したように、回転板２４を回転させる回転板駆動装置３１と、可動片２５を回転させる可動片駆動装置３６で構成されている。回転板駆動装置３１は、図８および図９に示したように、駆動モータ３２と、駆動歯車３３と、従動歯車３４と、エンコーダ３５で構成されている。駆動モータ３２は、正逆回転が可能なステッピングモータからなっており、モータ本体３２ａから回転軸３２ｂを前方（図５では左側）に突出させて構成されている。また、モータ本体３２ａの回転軸３２ｂが突出した方の端面における対向する部分には、それぞれ外部に向かって突出する一対のネジ挿通片３２ｃが設けられている。
【００２７】
駆動モータ３２は、一対のネジ挿通片３２ｃにそれぞれネジ３２ｄを通し、そのネジ３２ｄをネジ螺合部２２ｄに螺合させることにより、前面部２２ａに固定されている。そして、駆動モータ３２の回転軸３２ｂに駆動歯車３３が固定され、駆動歯車３３に従動歯車３４が歯合している。従動歯車３４の中心には前方に延びる連結軸３４ａが連結され、従動歯車３４の外周側部分には前後に貫通する検出孔３４ｂが形成されている。連結軸３４ａは、前面部２２ａの後方から挿通穴部２２ｂを通って前方に延びており、その先端部は、回転板２４の軸固定部２４ｃに嵌合して固定されている。これによって、回転板２４は、窓部２３ａ内に配置されている。
【００２８】
エンコーダ３５は、従動歯車３４の検出孔３４ｂと、検出部３５ａで構成されており、検出部３５ａは、光を発生する発光子３５ｂと、発光子３５ｂが発生する光を受光する受光子３５ｃを対向させた状態で支持部３５ｄに取り付けて構成されている。この検出部３５ａは、発光子３５ｂと受光子３５ｃとの間に、従動歯車３４の外周部分を位置させて、前面部２２ａの後面にネジ３５ｅで固定されている。このため、従動歯車３４の回転により、発光子３５ｂと受光子３５ｃとの間に、検出孔３４ｂが位置したときに、受光子３５ｃは受光し、それ以外のときには受光しなくなる。検出部３５ａは、受光子３５ｃが受光するときの従動歯車３４の位置を原点として検出する。
【００２９】
可動片駆動装置３６は、駆動モータ３７と、図１０および図１１に示した、駆動歯車３８、従動歯車３９、６個の従動小歯車４１およびエンコーダ４２で構成されている。駆動モータ３７は、駆動モータ３２と同じステッピングモータからなっており、モータ本体３７ａと、回転軸３７ｂと、モータ本体３７ａに設けられた一対のネジ挿通片３７ｃとで構成されている。この駆動モータ３７は、回転軸３７ｂを前面部２２ａの後方から挿通穴２２ｃに通して前方に突出させた状態で、一対のネジ挿通片３７ｃにそれぞれネジ３７ｄを通し、そのネジ３７ｄを前面部２２ａに螺合させることにより固定されている。
【００３０】
そして、回転軸３７ｂの先端に駆動歯車３８が固定されている。この駆動歯車３８の外周側部分には前後に貫通する検出孔３８ａが形成されており、駆動歯車３８の近傍には、検出孔３８ａとでエンコーダ４２を構成する検出部４２ａが設置されている。検出部４２ａは、発光子４２ｂと、受光子４２ｃを対向させた状態で支持部４２ｄに取り付けて構成されている。この検出部４２ａは、発光子４２ｂと受光子４２ｃとの間に、駆動歯車３８の外周部分を位置させて、前面部２２ａの前面にネジ（図示せず）で固定されており、受光子４２ｃが受光するときの駆動歯車３８の位置を原点として検出する。
【００３１】
また、駆動歯車３８には従動歯車３９が歯合しており、さらに、従動歯車３９に６つの従動小歯車４１が歯合している。従動歯車３９は、肉厚の歯車で構成されており、中央に連結軸３４ａが挿通できる中心穴３９ａが形成されている。従動歯車３９の後部に駆動歯車３８が歯合し、従動歯車３９の前部に各従動小歯車４１が歯合しており、駆動歯車３８が回転すると、駆動歯車３８の回転力は、従動歯車３９を介して各従動小歯車４１に伝達される。この際、駆動歯車３８と各従動小歯車４１は接触することなく回転する。また、従動歯車３９の中心穴３９ａの周面と連結軸３４ａとは摺接しているかまたは互いの間に僅かな隙間が設けられて互いに干渉し合うことなく別々に回転する。各従動小歯車４１の中心にはそれぞれ前方に延びる回転軸４１ａが連結されており、その先端部は、可動片２５の支軸２５ｂに嵌合して固定されている。
【００３２】
以上のように、回転板２４、複数の可動片２５および駆動装置３０を構成したため、駆動モータ３２を作動させて、駆動歯車３３を回転させると、従動歯車３４と回転板２４も回転する。この場合、従動歯車３４とともに連結軸３４ａが回転しても従動歯車３９は回転しないが、回転板２４が回転することにより、各従動小歯車４１は、回転軸４１ａを中心として回転しながら従動歯車３９の周囲を移動する。このため、各可動片２５も回転する。また、駆動モータ３７を作動させて、駆動歯車３８を回転させると、従動歯車３９と各従動小歯車４１が回転し、これによって各可動片２５も回転する。この場合、回転板２４は静止した状態を維持する。
【００３３】
駆動モータ３２と駆動モータ３７を同時に作動させると、回転板２４と各可動片２５は同時に回転するが、回転板２４と各可動片２５の回転速度および回転方向は、駆動モータ３２と駆動モータ３７の作動の状態によって異なってくる。回転板２４の回転速度は、駆動モータ３２の回転速度に応じて早くなったり遅くなったりし、回転板２４の回転方向は、駆動モータ３２の回転方向に応じて変わる。一方、各可動片２５の回転速度および回転方向は、駆動モータ３２と駆動モータ３７の双方の回転速度と回転方向に応じて変化する。
【００３４】
駆動モータ３２と駆動モータ３７を異なる方向に回転させた場合には、各可動片２５の回転速度は、駆動モータ３２と駆動モータ３７の一方だけを作動させたときよりも早くなり、駆動モータ３２と駆動モータ３７を同じ方向に回転させた場合には、各可動片２５の回転速度は、駆動モータ３２と駆動モータ３７の回転力が相殺されて遅くなる。そして、駆動モータ３２と駆動モータ３７の回転速度を変更することにより、各可動片２５の回転速度を静止状態から高速回転までの間で変更することができ、駆動モータ３２と駆動モータ３７の回転速方向を任意の方向に変更することにより、各可動片２５の回転方向も変更することができる。
【００３５】
反射筒２６は、略六角の筒状に形成されており、後端周縁部が位置する面が垂直になるようにして収容部２３の前部に組み付けられている。この反射筒２６は、一方の面が鏡面になった６枚の反射板２６ａ，２６ｂ，２６ｃ，２６ｄ，２６ｅ，２６ｆを、反射面をそれぞれ内部に向けて組み付けることにより形成されており、後部開口よりも前部開口の方が大きくなっている。反射板２６ａは、左右よりも前後の方が少し長い長方形に形成されている。反射板２６ｂは、後縁部よりも前縁部が長く下縁部よりも上縁部が長くなって後部よりも前部の幅が広くなった異形の四角形（図１２参照）に形成されており、反射板２６ｆは、反射板２６ｂと左右対称に形成されている。
【００３６】
反射板２６ｃは、反射板２６ｂと同様、後縁部よりも前縁部が長く下縁部よりも上縁部が長くなった四角形に形成されているが前部と後部の幅は同じになっており、反射板２６ｅは、反射板２６ｃと左右対称に形成されている。反射板２６ｄは、後縁部よりも前縁部の方が少し長い台形に形成されている。このように形成された反射板２６ａ〜２６ｆのうちの反射板２６ａ，２６ｂ，２６ｆは、回転板２４に対して直交するように配置され、反射板２６ｃ，２６ｄ，２６ｅは、後部よりも前部が外側に向かって傾斜するように配置されている。また、反射筒２６の前部開口の縁部は下部よりも上部の方が僅かに前方に突出している。このため、反射筒２６を前方から見ると、反射板２６ｃ，２６ｄ，２６ｅの鏡面はよく見えるが、反射板２６ａ，２６ｂ，２６ｆの鏡面は殆ど見えない状態になる。
【００３７】
反射筒２６の外周面後部には、収容部２３の軸棒２３ｅを挿入できる円筒状の軸挿入部２６ｇが形成されており、反射筒２６は、軸挿入部２６ｇに軸棒２３ｅを挿入させて収容部２３に組み付けられている。なお、軸棒２３ｅの先端には、締付ネジ等が設けられており、これによって反射筒２６は、収容部２３に対して所定の角度回転させたのちに固定できるようになっている。
【００３８】
また、反射板２６ａ，２６ｂ，２６ｆには、それぞれ図１２および図１３に示したＬＥＤ設置部２７が設けられており、このＬＥＤ設置部２７に多色ＬＥＤからなる発光部２８が取り付けられている。ＬＥＤ設置部２７は、反射板２６ａ，２６ｂ，２６ｆにそれぞれ形成した四角形の窓穴２７ａと、反射板２６ａ，２６ｂ，２６ｆの外面における窓穴２７ａの周囲部分に形成された枠状の傾斜台部２７ｂで構成されている。この傾斜台部２７ｂは、前部から後部に行くほど、それぞれ反射板２６ａ，２６ｂ，２６ｆの外面から離れるように傾斜している。
【００３９】
また、発光部２８は基板２８ａに取り付けられており、基板２８ａは、発光部２８を外部側から窓穴２７ａ内に入れて傾斜台部２７ｂにネジ２７ｃによって固定されている。このため、発光部２８は、回転板２４側を向くように傾斜している。また、前方からはこの発光部２８は、見えなくなっている。なお、図１２に示した反射筒２６の前端縁部の水平方向に対する傾斜角度は８０度程度に設定されている。
【００４０】
また、パチンコ機１０には、駆動モータ３２，３７および発光部２８の作動を制御する制御装置が備わっている。そして、駆動モータ３２，３７は、制御装置の制御により、回転板２４と各可動片２５を回転させ、発光部２８は、制御装置の制御により、所定の色の光を所定のタイミングで発生する。このような動作が、パチンコ機１０を使用して遊技が行われている際に、所定のタイミングで発生する、これによって、遊技の面白さが増加する。また、遊技状態が、大当たりの前のリーチの状態になったときに、表示装置２０が作動するように設定することもできる。
【００４１】
以上のように、本実施形態に係る表示装置２０では、プリズムシート２４ａが貼り付けられた回転板２４を、プリズムシート２４ａを前方に向けて取り付けるとともに、回転板２４の前側に、前面にプリズムシート２５ａが貼り付けられた複数の可動片２５を取り付けている。そして、回転板駆動装置３１の作動により回転板２４を回転させ、可動片駆動装置３６の作動により複数の可動片２５を回転させるようにしている。このように、本実施形態に係る表示装置２０によれば、回転する大きな回転板２４の表面側で、小さな複数の可動片２５が独自に回転することで面白みのある動きが発生する。
【００４２】
また、反射板２６ａ〜２６ｆを組み付けて筒状に形成された反射筒２６を回転板２４の表示面側に配置し、その反射筒２４に発光部２８を設けて回転板２４および複数の可動片２５を照射できるようにしている。このため、それぞれ独自に回転する回転板２４と複数の可動片２５を発光部２８の発光で照射し、回転板２４と複数の可動片２５を照射した光が反射筒２６に反射されることによって、実像と虚像からなる複数の像が発生するようになるため、表示装置２０に表示される模様が興趣に富んだものになり、面白みがさらに増す。
【００４３】
また、発光部２８として、多色ＬＥＤを用いているため、回転板２４と複数の可動片２５を照射する光の色を種々の色に変化させることができる。さらに、回転板２４にプリズムシート２４ａを貼り付け、可動片２５にプリズムシート２５ａが貼り付けたため、回転板２４および可動片２５から反射される光が、プリズムシート２４ａ，２５ａに形成された小さな反射面からそれぞれ異なる方向にそれぞれ反射されるようになり、変化に富んだ光模様を発生することができる。
【００４４】
また、前述した実施形態では、反射筒２６の反射板２６ａ，２６ｂ，２６ｆを、回転板２４の表面に対して略直交するように配置して、その反射板２６ａ，２６ｂ，２６ｆに発光部２８を設け、発光部２８が設けられていない反射板２６ｃ，２６ｄ，２６ｅは後方から前方に行くほど外部側に広がるように傾斜させて配置している。このため、発光部２８を前方から見えなくしながら、模様が表示される部分を極力広げることができる。さらに、反射筒２６を回転可能にしたため、反射筒２６を介して見ることのできる回転板２４および可動片２５の実像および虚像の形を変化させることができ、これによって、さらに、表示される模様に変化を持たせることができる。
【００４５】
本発明に係る遊技機の表示装置は、前述した実施形態に限定するものでなく、適宜変更することができる。例えば、前述した実施形態では、遊技機として、パチンコ機１０を用いているが、この遊技機としてはパチンコ機に限らず、スロットマシンやスマートボール等を用いてもよい。また、前述した実施形態では、可動片２５が、可動片駆動装置３６の作動により回転するようにしているが、可動片２５は、回転板２４の回転に応じて移動できるもので構成してもよい。例えば、回転板２４の前面に、可動片２５が移動できる通路を設けて、回転板２４が回転したり停止したりする動作に応じて、可動片２５が通路に沿って移動するようにすることができる。
【００４６】
さらに、前述した実施形態では、回転板２４の前面にプリズムシート２４ａを貼り付け、可動片２５の前面にプリズムシート２５ａを貼り付けているが、プリズムシート２４ａ，２５ａと同様の構成からなる面を、回転板２４や可動片２５の前面に形成してもよい。また、前述した実施形態では、反射板２６ａ，２６ｂ，２６ｆに窓穴２７ａを形成し、発光部２８を窓穴２７ａ内に位置させているが、発光部２８は、反射板２６ａ，２６ｂ，２６ｆの前端部または後端部に取り付けてもよい。また、発光部２８の数も適宜変更できる。さらに、本発明に係る遊技機の表示装置のそれ以外の部分の構成についても本発明の技術的範囲内で適宜変更して実施することが可能である。
【符号の説明】
【００４７】
１０…パチンコ機、１１…遊技面、２０…表示装置、２３ｄ…軸固定部、２３ｅ…軸棒、２４…回転板、２４ａ，２５ａ…プリズムシート、２５…可動片、２６…反射筒、２６ａ，２６ｂ，２６ｃ，２６ｄ，２６ｅ，２６ｆ…反射板、２６ｇ…軸挿入部、２８…発光部、３１…回転板駆動装置、３６…可動片駆動装置。
【図１】
2015131005.tif 000003
【図２】
2015131005.tif 000004
【図３】
2015131005.tif 000005
【図４】
2015131005.tif 000006
【図５】
2015131005.tif 000007
【図６】
2015131005.tif 000008
【図７】
2015131005.tif 000009
【図８】
2015131005.tif 000010
【図９】
2015131005.tif 000011
【図１０】
2015131005.tif 000012
【図１１】
2015131005.tif 000013
【図１２】
2015131005.tif 000014
【図１３】
2015131005.tif 000015